(57)【要約】イメージリジェクションミキサにおいて、入力端子に第１無線周波数帯の信号が入力された場合、第１混合器および第２混合器が、入力された第１無線周波数帯の信号を局部信号発振部からの第１局部信号を用いて第１中間周波数帯の信号に変換し、フィルタ回路が、第１中間周波数帯に存在するイメージ妨害信号を第１減衰帯域で減衰する。また、入力端子に第２無線周波数帯の信号が入力された場合、第１混合器および第２混合器が、入力された第２無線周波数帯の信号を局部信号発振部からの第２局部信号を用いて第２中間周波数帯の信号に変換し、フィルタ回路が、第２中間周波数帯に存在するイメージ妨害信号を第１減衰帯域より狭帯域の第２減衰帯域で減衰する。
2008126360.tif 000002
【特許請求の範囲】
【請求項１】
第１無線周波数帯の信号または前記第１無線周波数帯よりも狭帯域の第２周波数帯の信号が入力される入力端子と、前記入力端子に並列接続された第１混合器および第２混合器と、前記第１混合器および前記第２混合器に供給される互いに位相差を持った局部信号を発振する局部信号発振部と、前記第１混合器からの信号の位相と第２混合器からの信号の位相の少なくとも一方を回転させ、前記第１混合器からの信号と前記第２混合器からの信号とを合成するフィルタ回路とを有するイメージリジェクションミキサとを備え、
前記入力端子に前記第１無線周波数帯の信号が入力された場合、前記第１混合器および前記第２混合器が、入力された前記第１無線周波数帯の信号を前記局部信号発振部からの第１局部信号を用いて第１中間周波数帯の信号に変換し、前記フィルタ回路が、前記第１中間周波数帯に存在するイメージ妨害信号を第１減衰帯域で減衰すると共に、
前記入力端子に前記第２無線周波数帯の信号が入力された場合、前記第１混合器および第２混合器が、入力された前記第２無線周波数帯の信号を前記局部信号発振部からの第２局部信号を用いて第２中間周波数帯の信号に変換し、前記フィルタ回路が、前記第２中間周波数帯に存在するイメージ妨害信号を前記第１減衰帯域より狭帯域の第２減衰帯域で減衰する受信装置。
【請求項２】
前記フィルタ回路は、抵抗とコンデンサとから成るＲＣ移相器を複数組直列接続したポリフェーズフィルタで構成されると共に、前記直列接続されたＲＣ移相器のうち、１組のＲＣ移相器における抵抗とコンデンサのＲＣ積を大きくすることで前記第１減衰帯域より前記第２減衰帯域を狭帯域とする請求項１に記載の受信装置。
【請求項３】
前記フィルタ回路は、抵抗とコンデンサとから成るＲＣ移相器を３組以上直列接続したポリフェーズフィルタで構成されると共に、前記直列接続されたＲＣ移相器のうち、２組以上のＲＣ移相器における抵抗とコンデンサのＲＣ積を大きくすることで前記第１減衰帯域より前記第２減衰帯域を狭帯域とする請求項１に記載の受信装置。
【請求項４】
前記第２減衰帯域の減衰量は、前記第１減衰帯域の減衰量より大きい請求項１に記載の受信装置。
【請求項５】
前記ポリフェーズフィルタにおいて、前記ＲＣ移相器の抵抗は、入力側から出力側にいくほど大きい請求項１に記載の受信装置。
【請求項６】
前記第１減衰帯域の一部または全部と前記第２減衰帯域の一部または全部とは重複する請求項１に記載の受信装置。
【請求項７】
前記第１減衰帯域は、前記第２減衰帯域を含む請求項１に記載の受信装置。
【請求項８】
前記第２減衰帯域の中心周波数は、前記第１減衰帯域の中心周波数より低い請求項１に記載の受信装置。
【請求項９】
前記第２減衰帯域の上端と前記第１減衰帯域の上端とが等しい請求項１に記載の受信装置。
【請求項１０】
前記第１無線周波数帯の一部または全部は前記第２無線周波数帯である請求項１に記載の受信装置。
【請求項１１】
前記第１混合器および前記第２混合器に発振される前記局部信号の位相は互いに直交した請求項１に記載の受信装置。
【請求項１２】
前記第１無線周波数帯の信号に対する搬送波対雑音比よりも前記第２無線周波数帯の信号に対する搬送波対雑音比の方が大きいことを特徴とした請求項１に記載の受信装置。
【請求項１３】
前記第１減衰帯域幅は、ＤＶＢ−Ｔ方式のチャンネル帯域幅であり、前記第２減衰帯域幅は、ＩＳＤＢ−Ｔ方式のチャンネル帯域幅である請求項１に記載の受信装置。
【請求項１４】
請求項１から請求項１３に記載の受信装置と、前記受信装置の出力側に接続された信号処理部と、この信号処理部の出力側に接続された表示部とを有する電子機器。
【発明の詳細な説明】
【技術分野】
【０００１】
本発明は、イメージ妨害信号を減衰させるイメージリジェクションミキサが搭載された受信装置とこれを用いた電子機器に関するものである。
【背景技術】
【０００２】
従来、通信機やＡＶ機器において局部信号周波数を中心に希望波周波数と対称な周波数のイメージ妨害信号を減衰させるイメージリジェクションミキサが使用されている。ここで図６に、特許文献１に開示された、従来のイメージリジェクションミキサが搭載された受信装置の一例を示す。【０００３】
図６において、従来の受信装置１におけるイメージリジェクションミキサ２は、第１無線周波数帯の信号または第１無線周波数帯よりも狭帯域の第２周波数帯の信号が入力される入力端子３を有する。さらに、入力端子３に直接あるいは間接的に並列接続された第１混合器４および第２混合器５を有する。さらに、これら第１混合器４および第２混合器５に供給される互いに位相差を持った局部信号を発振する局部信号発振部６を有する。さらに、第１混合器４からの信号の位相と第２混合器５からの信号の位相との少なくとも一方を回転させ、第１混合器４からの信号と第２混合器５からの信号とを合成するフィルタ部７を有する。【０００４】
フィルタ部７は、ポリフェーズフィルタからなる第１中間周波数帯用の第１フィルタ回路８と、ポリフェーズフィルタからなる第２中間周波数帯用の第２フィルタ回路９とを有する。さらに、これら第１フィルタ回路８または第２フィルタ回路９に信号を切替え入力する第１スイッチ部１０を有する。さらに、第１フィルタ回路８または第２フィルタ回路９から信号を切替えて出力する第２スイッチ部１１を有する。【０００５】
また、受信装置１は、イメージリジェクションミキサ２と、イメージリジェクションミキサ２で減衰させることが出来ない不要信号を減衰させる中間周波フィルタ１４を有する。さらに、中間周波フィルタ１４の出力側に接続されたＡＤ変換部１５と、ＡＤ変換部１５の出力側に接続された復調部１６とを有する。さらに、ＡＤ変換部１５の他方の入力端子に接続されると共にサンプリング信号を生成するサンプリング信号発振部１７を有する。【０００６】
さらに、受信装置１は、チャンネル設定部（図示せず）からチャンネル情報およびセグメント情報を取得し、その情報に基づいて第１スイッチ部１０および第２スイッチ部１１を制御するスイッチ制御部１２を有する。さらに、受信装置１は、チャンネル設定部からのチャンネル情報およびセグメント情報を取得し、その情報に基づいて局部信号発振部６の局部信号の周波数を制御する局部信号制御部１３を有する。【０００７】
このような従来の受信装置では、入力端子３に、第１の無線周波数帯の信号または第２の無線周波数帯の信号が入力された場合、チャンネル情報およびセグメント情報に基づいて、スイッチ制御部１２が第１スイッチ部１０および第２スイッチ部１１を切り替える。そして、第１の無線周波数帯の信号が入力された場合、第１スイッチ部１０および第２スイッチ部１１によって第１フィルタ回路８が選択される。これにより、第１フィルタ回路８は第１中間周波数帯に存在するイメージ妨害信号を第１減衰帯域で減衰する。また、第２の無線周波数帯の信号が入力された場合、第１スイッチ部１０および第２スイッチ部１１によって第２フィルタ回路９が選択される。これにより、第２フィルタ回路９は第２中間周波数帯に存在するイメージ妨害信号を第２減衰帯域で減衰する。【０００８】
以上のように、上記従来の受信装置１を用いて、例えば地上波デジタル放送の１セグメント放送と３セグメント放送の切替受信など、異なる帯域幅の複数の希望波を受信するためには、それぞれの帯域幅用のポリフェーズフィルタからなる第１フィルタ回路８および第２フィルタ回路９が必要である。さらに、第１フィルタ回路８と第２フィルタ回路９を切替える第１スイッチ部１０および第２スイッチ部１１も必要である。したがって、従来の受信装置は大型になるという問題があった。【０００９】
本発明は上記問題を解決するもので、小型化を図ることのできる受信装置を提供するものである。
【特許文献１】特開２００３−２９８３５６号公報
【発明の開示】
【００１０】
本発明の受信装置は、第１無線周波数帯の信号または第１無線周波数帯よりも狭帯域の第２周波数帯の信号が入力される入力端子と、入力端子に並列接続された第１混合器および第２混合器と、第１混合器および第２混合器に供給される互いに位相差を持った局部信号を発振する局部信号発振部と、第１混合器からの信号の位相と第２混合器からの信号の位相の少なくとも一方を回転させ、第１混合器からの信号と第２混合器からの信号とを合成するフィルタ回路とを有するイメージリジェクションミキサとを備え、入力端子に第１無線周波数帯の信号が入力された場合、第１混合器および第２混合器が、入力された第１無線周波数帯の信号を局部信号発振部からの第１局部信号を用いて第１中間周波数帯の信号に変換し、フィルタ回路が、第１中間周波数帯に存在するイメージ妨害信号を第１減衰帯域で減衰すると共に、入力端子に第２無線周波数帯の信号が入力された場合、第１混合器および第２混合器が、入力された第２無線周波数帯の信号を局部信号発振部からの第２局部信号を用いて第２中間周波数帯の信号に変換し、フィルタ回路が、第２中間周波数帯に存在するイメージ妨害信号を第１減衰帯域より狭帯域の第２減衰帯域で減衰するものである。
【００１１】
上記構成により、イメージリジェクションミキサは、単一のフィルタ回路によって、帯域幅の異なる第１中間周波数帯のイメージ妨害信号および第２中間周波数帯のイメージ妨害信号を減衰させることができる。その結果、受信装置を小型化を図ることができる。さらに、第２無線周波数帯の信号が入力された場合、フィルタ回路が狭帯域の第２減衰帯域で入力信号を減衰させることにより、第２減衰帯域における減衰量を大きくすることができる。その結果、第２無線周波数帯の信号が入力された場合における受信装置の受信品質を向上させることができる。
【図面の簡単な説明】
【００１２】
【図１】図１は、本発明の一実施の形態における受信装置を有する電子機器のブロック図である。
【図２】図２は、本実施の形態におけるフィルタ回路の利得特性と第１、第２中間周波数帯のスペクトラムの関係を示す図である。
【図３】図３は、本実施の形態におけるフィルタ回路の利得特性図である。
【図４】図４は、本実施の形態における他のフィルタ回路の構成図である。
【図５】図５は、図４のフィルタ回路の利得特性図である。
【図６】図６は、従来の受信装置のブロック図である。
【符号の説明】
【００１３】
１４    受信装置
１５    イメージリジェクションミキサ
１６    入力端子
１７    第１混合器
１８    第２混合器
１９    局部信号発振部
２０    フィルタ回路
２１    中間周波フィルタ
２２    ＡＤ変換部
２３    復調部
２４    サンプリング信号発振部
２５    局部信号制御部
２６    サンプリング信号制御部
２７    スイッチ制御部
【発明を実施するための最良の形態】
【００１４】
以下に本発明の実施の形態における受信装置について、図面を参考にして説明する。【００１５】
（実施の形態）
図１は、本発明の実施の形態１における受信装置を有する電子機器のブロック図である。図１において、本発明の受信装置１４におけるイメージリジェクションミキサ１５は、第１無線周波数帯の信号または第１無線周波数帯よりも狭帯域の第２無線周波数帯の信号が入力される入力端子１６を有する。さらに、入力端子１６に直接的あるいは間接的に並列接続された第１混合器１７および第２混合器１８を有する。さらに、これら第１混合器１７および第２混合器１８に供給される互いに位相差を持った局部信号を発振する局部信号発振部１９を有する。なお、第１混合器１７および第２混合器１８に入力される局部信号の移相は互いに略直交している。さらに、イメージリジェクションミキサ１５は、第１混合器１７からの信号の位相と第２混合器１８からの信号の位相との少なくとも一方を回転させ、第１混合器１７からの信号と第２混合器１８からの信号とを合成するポリフェーズフィルタからなるフィルタ回路２０を有する。【００１６】
フィルタ回路２０は、例えば、ＲＣ移相器４組を直列接続したポリフェーズフィルタである。すなわち、フィルタ回路２０は、入力側から順に、第１ＲＣ移相器、第２ＲＣ移相器、第３ＲＣ移相器、および第４ＲＣ移相器が接続された構成である。【００１７】
第１ＲＣ移相器は、第１混合器１７から移相度０度の信号が入力される抵抗Ｒ１１と、第２混合器１８から移相度９０度の信号が入力される抵抗Ｒ１２とを有する。さらに、第１混合器１７から移相度１８０度の信号が入力される抵抗Ｒ１３と、第２混合器１８から移相度２７０度の信号が入力される抵抗Ｒ１４とを有する。さらに、これら抵抗Ｒ１１〜Ｒ１４の各々と並列接続された抵抗Ｒ１５〜Ｒ１８と、これら抵抗Ｒ１５〜Ｒ１８の接続オンオフを切り替えるスイッチＳＷ１１〜ＳＷ１４とを有する。さらに、抵抗Ｒ１１の入力と抵抗Ｒ１２の出力との間に接続されたコンデンサＣ１１と、抵抗Ｒ１２の入力と抵抗Ｒ１３の出力との間に接続されたコンデンサＣ１２とを有する。さらに、抵抗Ｒ１３の入力と抵抗Ｒ１４の出力との間に接続されたコンデンサＣ１３と、抵抗Ｒ１４の入力と抵抗Ｒ１１の出力との間に接続されたＣ１４とを有する。【００１８】
また、第２ＲＣ移相器は、抵抗Ｒ２１〜Ｒ２４を有する。さらに、抵抗Ｒ２１の入力と抵抗Ｒ２２の出力との間に接続されたコンデンサＣ２１と、抵抗Ｒ２２の入力と抵抗Ｒ２３の出力との間に接続されたコンデンサＣ２２とを有する。さらに、抵抗Ｒ２３の入力と抵抗Ｒ２４の出力との間に接続されたコンデンサＣ２３と、抵抗Ｒ２４の入力と抵抗Ｒ２１の出力との間に接続されたＣ２４とを有する。また、第３ＲＣ移相器も、第２ＲＣ移相器と同様に、抵抗Ｒ３１〜Ｒ３４およびコンデンサＣ３１〜Ｃ３４から構成される。さらに、第４ＲＣ移相器も第２ＲＣ移相器と同様に、抵抗Ｒ４１〜Ｒ４４およびコンデンサＣ４１〜Ｃ４４から構成される。【００１９】
さらに、受信装置１４は、上記イメージリジェクションミキサ１５と、このイメージリジェクションミキサ１５で減衰させることが出来ない不要信号を減衰させる中間周波フィルタ２１とを有する。さらに、この中間周波フィルタ２１の出力側に接続されたＡＤ変換部２２と、このＡＤ変換部２２の出力側に接続された復調部２３とを有する。さらに、ＡＤ変換部２２の他方の入力端子に接続されると共にサンプリング信号を生成するサンプリング信号発振部２４を有する。【００２０】
さらに、受信装置１４は、チャンネル設定部（図示せず）からチャンネル情報およびセグメント情報を取得し、その情報に基づいて局部信号発振部１９の局部信号の周波数を制御する局部信号制御部２５を有する。さらに、チャンネル設定部からのチャンネル情報およびセグメント情報を取得し、その情報に基づいてサンプリング信号発振部２４のサンプリング周波数を制御するサンプリング信号制御部２６を有する。さらに、チャンネル設定部からのチャンネル情報およびセグメント情報を取得し、その情報に基づいてスイッチＳＷ１１〜ＳＷ１４を制御するスイッチ制御部２７を有する。【００２１】
なお、この受信装置１４を搭載した電子機器３０は、復調部２３の出力側に接続された信号処理部３１と、この信号処理部の出力側に接続された表示部３２とを有する。【００２２】
次に、イメージリジェクションミキサ１５の動作について説明する。入力端子１６に第１無線周波数帯の信号が入力された場合、第１混合器１７および第２混合器１８が、入力された第１無線周波数帯の信号を局部信号発振部１９からの第１局部信号を用いて第１中間周波数帯の信号に変換する。さらに、フィルタ回路２０が、第１中間周波数帯に存在するイメージ妨害信号を第１減衰帯域で減衰する。【００２３】
詳述すると、スイッチ制御部２７が、チャンネル設定部（図示せず）からのチャンネル情報およびセグメント情報に基づいて、フィルタ回路２０のスイッチＳＷ１１〜ＳＷ１４をオンする。これにより、抵抗Ｒ１１〜Ｒ１４に抵抗Ｒ１５〜Ｒ１８が並列接続される。【００２４】
従って、ポリフェーズフィルタを構成する第１ＲＣ移相器〜第４ＲＣ移相器の位相回転９０°となる周波数ｆ１〜ｆ４は、次のようになる。【００２５】
ｆ１＝１／（２π×（Ｒ１１//Ｒ１５）×Ｃ１１）
ｆ２＝１／（２π×Ｒ２１×Ｃ２１）
ｆ３＝１／（２π×Ｒ３１×Ｃ３１）
ｆ４＝１／｛２π×Ｒ４１×Ｃ４１｝
但し、
Ｒ１１//Ｒ１５＝Ｒ１２//Ｒ１６＝Ｒ１３//Ｒ１７＝Ｒ１４//Ｒ１８
Ｒ１１//Ｒ１５＝Ｒ１１×Ｒ１５／（Ｒ１１＋Ｒ１５）
Ｒ１２//Ｒ１６＝Ｒ１２×Ｒ１６／（Ｒ１２＋Ｒ１６）
Ｒ１３//Ｒ１７＝Ｒ１３×Ｒ１７／（Ｒ１３＋Ｒ１７）
Ｒ１４//Ｒ１８＝Ｒ１４×Ｒ１８／（Ｒ１４＋Ｒ１８）
Ｒ２１＝Ｒ２２＝Ｒ２３＝Ｒ２４
Ｒ３１＝Ｒ３２＝Ｒ３３＝Ｒ３４
Ｒ４１＝Ｒ４２＝Ｒ４３＝Ｒ４４
Ｃ４１＝Ｃ４２＝Ｃ４３＝Ｃ４４
とする。【００２６】
また、入力端子１６に第２無線周波数帯の信号が入力された場合、第１混合器１７および第２混合器１８が、入力された第２無線周波数帯の信号を局部信号発振部１９からの第２局部信号を用いて第２中間周波数帯の信号に変換する。さらに、フィルタ回路２０が、第２中間周波数帯に存在するイメージ妨害信号を第１減衰帯域より狭帯域の第２減衰帯域で減衰する。【００２７】
詳述すると、スイッチ制御部２７が、チャンネル設定部（図示せず）からのチャンネル情報およびセグメント情報に基づいて、フィルタ回路２０のスイッチＳＷ１１〜ＳＷ１４をオフする。これにより、抵抗Ｒ１１〜Ｒ１４に抵抗Ｒ１５〜Ｒ１８が並列接続されない。【００２８】
従って、ポリフェーズフィルタを構成する第１ＲＣ移相器の位相回転９０°となる周波数ｆ１’は、次のようになる。【００２９】
ｆ１’＝１／｛２π×Ｒ１１×Ｃ１１｝
また、第２ＲＣ移相器〜第４ＲＣ移相器の位相回転９０°となる周波数は、上記したｆ２〜ｆ４となる。【００３０】
イメージリジェクションミキサ１５の動作時におけるフィルタ回路２０の利得の周波数特性について図２を用いて詳述する。図２は、フィルタ回路２０の利得特性Ｇと第１中間周波数帯のスペクトラムＳ１、第２中間周波数帯のスペクトラムＳ２を比較して示している。【００３１】
図２の中段に示すフィルタ回路２０の利得特性Ｇにおいて、縦軸は利得、横軸は周波数である。横軸は、中心を０Ｈｚとして右側が正の周波数、左側が負の周波数を表す。利得特性Ｇの破線Ｇ１は、第１減衰帯域（減衰帯域幅Ｗ１［Ｈｚ］）を示し、利得特性の実線Ｇ２は第２減衰帯域（減衰帯域幅Ｗ２［Ｈｚ］）を示している。ポリフェーズフィルタを構成する第１ＲＣ移相器〜第４ＲＣ移相器の位相回転９０°となる周波数ｆ１〜ｆ４およびｆ１’は図３に示す関係となる。図２の上段に示すスペクトラムＳ１は第1中間周波数帯のスペクトラムを表している。希望信号Ｒ１の中心周波数をＸ１［Ｈｚ］、帯域幅をＸ２［Ｈｚ］とすると、その希望信号Ｒ１の上端は（Ｘ１＋Ｘ２／２）［Ｈｚ］、下端は（Ｘ１−Ｘ２／２）［Ｈｚ］となる。従って、イメージ妨害信号Ｉ１の中心周波数は（−Ｘ１）［Ｈｚ］であり、上端は（−Ｘ１＋Ｘ２／２）［Ｈｚ］、下端は（−Ｘ１−Ｘ２／２）［Ｈｚ］となる。【００３２】
図２の下段は、第1中間周波数帯よりも狭帯域な第２中間周波数帯のスペクトラムＳ２を表している。希望信号Ｒ２は中心周波数をＹ１［Ｈｚ］、帯域幅をＹ２［Ｈｚ］とすると、その希望信号Ｒ２の上端は（Ｙ１＋Ｙ２／２）［Ｈｚ］、下端は（Ｙ１−Ｙ２／２）［Ｈｚ］となる。従って、イメージ妨害信号Ｉ２の中心周波数は（−Ｙ１）［Ｈｚ］であり、上端は（−Ｙ１＋Ｙ２／２）［Ｈｚ］、下端は（−Ｙ１−Ｙ２／２）［Ｈｚ］となる。図２に示すように、第１中間周波数帯と第２中間周波数帯の周波数関係を、（−Ｘ１−Ｘ２／２）≦（−Ｙ１−Ｙ２／２）＜（−Ｙ１＋Ｙ２／２）≦（−Ｘ１＋Ｘ２／２）とした場合において、フィルタ回路２０の利得特性は、第1減衰帯域幅Ｗ１＞第２減衰帯域幅Ｗ２とすることができる。【００３３】
上記構成により、イメージリジェクションミキサ１５は、単一のフィルタ回路２０によって、帯域幅の異なる第１中間周波数帯のイメージ妨害信号Ｉ１および第２中間周波数帯のイメージ妨害信号Ｉ２を減衰させることができる。その結果、従来のように、２つのスイッチ部や２つのフィルタ回路が不要で、受信装置１４を小型化することができる。【００３４】
さらに、第２無線周波数帯の信号が入力された場合、フィルタ回路２０が第１減衰帯域よりも狭帯域の第２減衰帯域で入力信号を減衰させる。このことにより、第１ＲＣ移相器〜第４ＲＣ移相器の夫々の減衰極をより狭い周波数帯域に集中させることができるので、第２減衰帯域における減衰量を第１減衰帯域よりも大きくすることができる。その結果、第２無線周波数帯の信号が入力された場合におけるフィルタ回路２０はイメージ妨害信号を大きく抑圧することが可能となり、受信装置１４の受信品質を向上させることができる。【００３５】
一般に、携帯電話機や車載機といった移動体受信機として地上波デジタル放送を受信する場合、放送基地局から受信する無線信号にはマルチパスが重畳されやすい。したがって、受信する信号帯域幅が狭帯域となればなるほど（受信セグメントが１３セグメント→３セグメント→１セグメントと少なくなるほど）、イメージ抑圧特性の向上は受信品質の向上に影響を及ぼす。すなわち、本実施の形態のような受信装置は、イメージ抑圧特性が従来よりも改善されるので、このような移動体受信機として地上波デジタル放送を受信する装置などに適用して効果が大きい。【００３６】
なお、図１に示す構成では、フィルタ回路２０は第１ＲＣ移相器のＲＣ積のみを切替える構成であったが、例えば、図４に示すフィルタ回路ような第１ＲＣ移相器と第２ＲＣ移相器の２組のＲＣ積を切替える構成であっても良い。【００３７】
図４において、第２ＲＣ移相器は、第１ＲＣ移相器と同様に、抵抗Ｒ２１〜Ｒ２４と、これら抵抗Ｒ２１〜Ｒ２４の各々と並列接続された抵抗Ｒ２５〜Ｒ２８とを有する。さらに、これら抵抗Ｒ２１〜Ｒ２８の接続オンオフを切り替えるスイッチＳＷ２１〜ＳＷ２４を有する。さらに、抵抗Ｒ２１の入力と抵抗Ｒ２２の出力との間に接続されたコンデンサＣ２１と、抵抗Ｒ２２の入力と抵抗Ｒ２３の出力との間に接続されたコンデンサＣ２２とを有する。さらに、抵抗Ｒ２３の入力と抵抗Ｒ２４の出力との間に接続されたコンデンサＣ２３と、抵抗Ｒ２４の入力と抵抗Ｒ２１の出力との間に接続されたＣ２４とを有する。そして、ポリフェーズフィルタを構成する第１ＲＣ移相器〜第４ＲＣ移相器の位相回転９０°となる周波数ｆ１〜ｆ４およびｆ１’、ｆ２’は図５に示す関係となる。ここで、第１減衰帯域に関わる周波数はｆ１〜ｆ４であり、各々の周波数の大小関係は（数1）の関係となる。【００３８】
【数１】
2008126360.tif 000003
【００３９】
また、狭帯域な第２減衰帯域に関わる周波数はｆ１’、ｆ２’、ｆ３〜ｆ４であり、各々の周波数の大小関係は（数２）の関係となる。【００４０】
【数２】
2008126360.tif 000004
【００４１】
このように、フィルタ回路２０を構成するポリフェーズフィルタにおいて、直列接続するＲＣ移相器の抵抗は入力側から出力側にいくほど大きいことが好ましい。一般に、第１ＲＣ移相器〜第４ＲＣ移相器の夫々の抵抗は抵抗の大きさに比例した熱雑音を発生する。そこで、これらの抵抗を縦続接続したフィルタ回路のＮＦ（Ｎｏｉｓｅ  Ｆｉｇｕｒｅ）を低減するには、入力側の抵抗をより小さくして出力側の抵抗をより大きくした方が好ましい。即ち、ＲＣ積で決定される周波数ｆ１〜ｆ４は（数１）の関係とし、周波数ｆ１’、ｆ２’、ｆ３、ｆ４は（数２）の関係とすることによって、フィルタ回路２０のＮＦを低減することができ、その結果、受信装置１４の受信品質を良好にすることができる。【００４２】
また、第１減衰帯域の一部または全部と第２減衰帯域の一部または全部とが重複しても良い。この場合においても、受信装置１４は同様の効果を有する。【００４３】
また、第２減衰帯域の中心周波数が第１減衰帯域の中心周波数より低くなるように、チャンネル設定部からのチャンネル情報およびセグメント情報に基づいて局部信号発振部１９の局部信号の周波数とサンプリング信号発振部２４のサンプリング周波数を制御すると共に、フィルタ回路２０の減衰帯域を制御することが望ましい。これにより、受信装置１４が第２無線周波数帯の信号を受信する場合、ＡＤ変換部２２におけるサンプリング回数を減らすことができるので、ＡＤ変換部２２の消費電流を抑制することができる。【００４４】
さらにまた、本実施の形態のように、第１減衰帯域の上端と第２減衰帯域の上端とが等しくなるように、チャンネル設定部からのチャンネル情報およびセグメント情報に基づいて局部信号発振部１９の局部信号の周波数とサンプリング信号発振部２４のサンプリング周波数を制御すると共に、フィルタ回路２０の減衰帯域を制御することが望ましい。これにより、受信装置１４が第２無線周波数帯の信号を受信する場合、ＡＤ変換部２２におけるサンプリング回数をさらに減らすことができるので、ＡＤ変換部２２の消費電流をさらに抑制することができる。【００４５】
なお、第１無線周波数帯の一部または全部は第２無線周波数帯であっても良い。これにより、例えば地上波デジタル放送であるＩＳＤＢ−Ｔ（Ｉｎｔｅｇｒａｔｅｄ Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａl）方式およびＩＳＤＢ−Ｔｓｂ（Ｉｎｔｅｇｒａｔｅｄ  Ｓｅｒｖｉｃｅｓ  Ｄｉｇｉｔａｌ  Ｂｒｏａｄｃａｓｔｉｎｇ  − Ｔｅｒｒｅｓｔｒｉａｌ  ｆｏｒ  Ｓｏｕｎｄ  Ｂｒｏａｄｃａｓｔｉｎｇ）の３セグメント放送の中の少なくとも１つのセグメントを受信する場合においても、受信装置１４は上記と同様の効果を有する。【００４６】
また、これとは異なる具体的な例を説明する。表１は地上波デジタル放送の各方式の帯域幅と変調方式と、搬送波対雑音比（復調部２０で復調する際に必要な信号品質を示す搬送波対雑音比ＣＮＲ（Ｃａｒｒｅｒ  Ｎｏｉｓｅ  Ｒａｔｉｏ）であって、以下、所要Ｃ／Ｎと言う）とを示している。【００４７】
【表１】
2008126360.tif 000005
【００４８】
（表１）に示すように、ＩＳＤＢ−Ｔフルセグメント方式の場合は、変調方式に６４ＱＡＭ（Ｑｕａｄｒａｔｕｒｅ  Ａｍｐｌｉｔｕｄｅ  Ｍｏｄｕｌａｔｉｏｎ）の符号化率（以下、ＣＲ（Ｃｏｄｅ Ｒａｔｅ）と言う）７／８が用いられ、所要Ｃ／Ｎは２１〜２２ｄＢである。【００４９】
ＤＶＢ−Ｔ（Ｄｉｇｉｔａｌ Ｖｉｄｅｏ Ｂｒｏａｄｃａｓｔｉｎｇ - Ｔｅｒｒｅｓｔｒｉａｌ）方式の場合は、変調方式に６４ＱＡＭのＣＲ３／４が用いられ、所要Ｃ／Ｎは１９〜２０ｄＢである。【００５０】
また、ＤＶＢ−Ｔ方式と同じ８ＭＨｚのチャンネル帯域幅であるＧＢ２０６００−２００６（通称名はＤＴＴＢ、framing structure, channel coding and modulation for Digital Television Terrestrial Broadcasting system）方式の場合は、変調方式に６４ＱＡＭのＣＲ４／５が用いられ、所要Ｃ／Ｎは概２０ｄＢである。【００５１】
そこで、本実施の形態において、第１減衰帯域幅Ｗ１を８ＭＨｚとし、第２減衰帯域幅Ｗ２を第１減衰帯域幅より狭帯域な６ＭＨｚとして、第２無線周波数帯の信号が入力された場合において、第２減衰帯域における入力信号の減衰量を第１減衰帯域の減衰量より大きくするようにする。【００５２】
表１より、第１減衰帯域幅Ｗ１（＝８ＭＨｚ）は、欧州などで実用化されるＤＶＢ−Ｔ方式のチャンネル帯域幅に該当する。一方、第２減衰帯域幅Ｗ２（＝６ＭＨｚ）は、日本などで実用化されるＩＳＤＢ−Ｔフルセグメント方式のチャンネル帯域幅に該当する。【００５３】
すなわち、（表１）のとおり、ＩＳＤＢ−Ｔフルセグメント方式の方がＤＶＢ−Ｔ方式より大きな減衰量を必要とするため、上記のように第１減衰帯域幅Ｗ１および第２減衰帯域幅Ｗ２を設定することにより、異なった複数の方式に対応可能な小型の受信装置を実現することができる。【００５４】
また、第１減衰帯域幅Ｗ１（＝８ＭＨｚ）は、中国で実用化されるＧＢ２０６００−２００６方式のチャンネル帯域幅に該当する。したがって、このような場合にも上記のＤＶＢ−Ｔ方式と同様の効果が得られる。【００５５】
以上のように、各々の方式は変調方式の違い等によって所要Ｃ／Ｎが異なり、ＣＲが大きく、且つ、周波数帯域幅が狭帯域なＩＳＤＢ−Ｔフルセグメント方式は所要Ｃ／Ｎが大きくなっている。これは、デジタル化された信号の情報伝送量が変調度と周波数帯域幅の両方に比例するためである。したがって、一般的な受信環境で、各々の方式が同程度の情報量（映像画質、音質、データ量）を放送するには帯域幅が狭いほど大きな変調度（＝大きなＣ／Ｎ）が必要となる。【００５６】
すなわち、ＩＳＤＢ−Ｔフルセグメント方式を受信する場合、受信装置１４はより良好な受信特性が必要とされ、復調器２０に入力するノイズレベルを様々な受信環境において抑圧しなければならない。したがって、本実施の形態によれば、例えば、第２無線周波数帯にある希望信号とそれに隣接するイメージ妨害信号が存在した受信環境では、第２減衰帯域の減衰量を大きくするほどイメージ妨害を抑圧することが可能となる。その結果、耐妨害耐性が良好な（大きな妨害信号を入力しても受信品質が劣化しにくい）受信装置を実現することができる。
【産業上の利用可能性】
【００５７】
本発明の受信装置は、小型化が可能であるので、例えば、携帯端末等の電子機器に利用することができる。
【図１】
2008126360.tif 000006
【図２】
2008126360.tif 000007
【図３】
2008126360.tif 000008
【図４】
2008126360.tif 000009
【図５】
2008126360.tif 000010
【図６】
2008126360.tif 000011
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
第１無線周波数帯の信号または前記第１無線周波数帯よりも狭帯域の第２周波数帯の信号が入力される入力端子と、前記入力端子に並列接続された第１混合器および第２混合器と、前記第１混合器および前記第２混合器に供給される互いに位相差を持った局部信号を発振する局部信号発振部と、前記第１混合器からの信号の位相と第２混合器からの信号の位相の少なくとも一方を回転させ、前記第１混合器からの信号と前記第２混合器からの信号とを合成するフィルタ回路とを有するイメージリジェクションミキサとを備え、
前記入力端子に前記第１無線周波数帯の信号が入力された場合、前記第１混合器および前記第２混合器が、入力された前記第１無線周波数帯の信号を前記局部信号発振部からの第１局部信号を用いて第１中間周波数帯の信号に変換し、前記フィルタ回路が、前記第１中間周波数帯に存在するイメージ妨害信号を第１減衰帯域で減衰すると共に、
前記入力端子に前記第２無線周波数帯の信号が入力された場合、前記第１混合器および第２混合器が、入力された前記第２無線周波数帯の信号を前記局部信号発振部からの第２局部信号を用いて第２中間周波数帯の信号に変換し、前記フィルタ回路が、前記第２中間周波数帯に存在するイメージ妨害信号を前記第１減衰帯域より狭帯域の第２減衰帯域で減衰する受信装置。
【請求項２】
前記フィルタ回路は、抵抗とコンデンサとから成るＲＣ移相器を複数組直列接続したポリフェーズフィルタで構成されると共に、前記直列接続されたＲＣ移相器のうち、１組のＲＣ移相器における抵抗とコンデンサのＲＣ積を大きくすることで前記第１減衰帯域より前記第２減衰帯域を狭帯域とする請求項１に記載の受信装置。
【請求項３】
前記フィルタ回路は、抵抗とコンデンサとから成るＲＣ移相器を３組以上直列接続したポリフェーズフィルタで構成されると共に、前記直列接続されたＲＣ移相器のうち、２組以上のＲＣ移相器における抵抗とコンデンサのＲＣ積を大きくすることで前記第１減衰帯域より前記第２減衰帯域を狭帯域とする請求項１に記載の受信装置。
【請求項４】
前記第２減衰帯域の減衰量は、前記第１減衰帯域の減衰量より大きい請求項１に記載の受信装置。
【請求項５】
前記ポリフェーズフィルタにおいて、前記ＲＣ移相器の抵抗は、入力側から出力側にいくほど大きい請求項１に記載の受信装置。
【請求項６】
前記第１減衰帯域の一部または全部と前記第２減衰帯域の一部または全部とは重複する請求項１に記載の受信装置。
【請求項７】
前記第１減衰帯域は、前記第２減衰帯域を含む請求項１に記載の受信装置。
【請求項８】
前記第２減衰帯域の中心周波数は、前記第１減衰帯域の中心周波数より低い請求項１に記載の受信装置。
【請求項９】
前記第２減衰帯域の上端と前記第１減衰帯域の上端とが等しい請求項１に記載の受信装置。
【請求項１０】
前記第１無線周波数帯の一部または全部は前記第２無線周波数帯である請求項１に記載の受信装置。
【請求項１１】
前記第１混合器および前記第２混合器に発振される前記局部信号の位相は互いに直交した請求項１に記載の受信装置。
【請求項１２】
前記第１無線周波数帯の信号に対する搬送波対雑音比よりも前記第２無線周波数帯の信号に対する搬送波対雑音比の方が大きいことを特徴とした請求項１に記載の受信装置。
【請求項１３】
前記第１減衰帯域幅は、ＤＶＢ−Ｔ方式のチャンネル帯域幅であり、前記第２減衰帯域幅は、ＩＳＤＢ−Ｔ方式のチャンネル帯域幅である請求項１に記載の受信装置。
【請求項１４】
請求項１に記載の受信装置と、前記受信装置の出力側に接続された信号処理部と、この信号処理部の出力側に接続された表示部とを有する電子機器。
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
第１無線周波数帯の信号または前記第１無線周波数帯よりも狭帯域の第２周波数帯の信号が入力される入力端子と、前記入力端子に並列接続された第１混合器および第２混合器と、前記第１混合器および前記第２混合器に供給される互いに位相差を持った局部信号を発振する局部信号発振部と、前記第１混合器からの信号の位相と第２混合器からの信号の位相の少なくとも一方を回転させ、前記第１混合器からの信号と前記第２混合器からの信号とを合成するフィルタ回路とを有するイメージリジェクションミキサとを備え、
前記入力端子に前記第１無線周波数帯の信号が入力された場合、前記第１混合器および前記第２混合器が、入力された前記第１無線周波数帯の信号を前記局部信号発振部からの第１局部信号を用いて第１中間周波数帯の信号に変換し、前記フィルタ回路が、前記第１中間周波数帯に存在するイメージ妨害信号を第１減衰帯域で減衰すると共に、
前記入力端子に前記第２無線周波数帯の信号が入力された場合、前記第１混合器および第２混合器が、入力された前記第２無線周波数帯の信号を前記局部信号発振部からの第２局部信号を用いて第２中間周波数帯の信号に変換し、前記フィルタ回路が、前記第２中間周波数帯に存在するイメージ妨害信号を前記第１減衰帯域より狭帯域の第２減衰帯域で減衰する受信装置。
【請求項２】
前記フィルタ回路は、抵抗とコンデンサとから成るＲＣ移相器を複数組直列接続したポリフェーズフィルタで構成されると共に、前記直列接続されたＲＣ移相器のうち、１組のＲＣ移相器における抵抗とコンデンサのＲＣ積を大きくすることで前記第１減衰帯域より前記第２減衰帯域を狭帯域とする請求項１に記載の受信装置。
【請求項３】
前記フィルタ回路は、抵抗とコンデンサとから成るＲＣ移相器を３組以上直列接続したポリフェーズフィルタで構成されると共に、前記直列接続されたＲＣ移相器のうち、２組以上のＲＣ移相器における抵抗とコンデンサのＲＣ積を大きくすることで前記第１減衰帯域より前記第２減衰帯域を狭帯域とする請求項１に記載の受信装置。
【請求項４】
前記第２減衰帯域の減衰量は、前記第１減衰帯域の減衰量より大きい請求項１に記載の受信装置。
【請求項５】
前記ポリフェーズフィルタにおいて、前記ＲＣ移相器の抵抗は、入力側から出力側にいくほど大きい請求項１に記載の受信装置。
【請求項６】
前記第１減衰帯域の一部または全部と前記第２減衰帯域の一部または全部とは重複する請求項１に記載の受信装置。
【請求項７】
前記第１減衰帯域は、前記第２減衰帯域を含む請求項１に記載の受信装置。
【請求項８】
前記第２減衰帯域の中心周波数は、前記第１減衰帯域の中心周波数より低い請求項１に記載の受信装置。
【請求項９】
前記第２減衰帯域の上端と前記第１減衰帯域の上端とが等しい請求項１に記載の受信装置。
【請求項１０】
前記第１無線周波数帯の一部または全部は前記第２無線周波数帯である請求項１に記載の受信装置。
【請求項１１】
前記第１混合器および前記第２混合器に発振される前記局部信号の位相は互いに直交した請求項１に記載の受信装置。
【請求項１２】
前記第１無線周波数帯の信号に対する搬送波対雑音比よりも前記第２無線周波数帯の信号に対する搬送波対雑音比の方が大きいことを特徴とした請求項１に記載の受信装置。
【請求項１３】
前記第１減衰帯域幅は、ＤＶＢ−Ｔ方式のチャンネル帯域幅であり、前記第２減衰帯域幅は、ＩＳＤＢ−Ｔ方式のチャンネル帯域幅である請求項１に記載の受信装置。
【請求項１４】
請求項１に記載の受信装置と、前記受信装置の出力側に接続された信号処理部と、この信号処理部の出力側に接続された表示部とを有する電子機器。
【手続補正２】
【補正対象書類名】明細書
【補正対象項目名】全文
【補正方法】変更
【補正の内容】
【発明の詳細な説明】
【技術分野】
【０００１】
本発明は、イメージ妨害信号を減衰させるイメージリジェクションミキサが搭載された受信装置とこれを用いた電子機器に関するものである。
【背景技術】
【０００２】
従来、通信機やＡＶ機器において局部信号周波数を中心に希望波周波数と対称な周波数のイメージ妨害信号を減衰させるイメージリジェクションミキサが使用されている。ここで図６に、特許文献１に開示された、従来のイメージリジェクションミキサが搭載された受信装置の一例を示す。
【０００３】
図６において、従来の受信装置１におけるイメージリジェクションミキサ２は、第１無線周波数帯の信号または第１無線周波数帯よりも狭帯域の第２周波数帯の信号が入力される入力端子３を有する。さらに、入力端子３に直接あるいは間接的に並列接続された第１混合器４および第２混合器５を有する。さらに、これら第１混合器４および第２混合器５に供給される互いに位相差を持った局部信号を発振する局部信号発振部６を有する。さらに、第１混合器４からの信号の位相と第２混合器５からの信号の位相との少なくとも一方を回転させ、第１混合器４からの信号と第２混合器５からの信号とを合成するフィルタ部７を有する。
【０００４】
フィルタ部７は、ポリフェーズフィルタからなる第１中間周波数帯用の第１フィルタ回路８と、ポリフェーズフィルタからなる第２中間周波数帯用の第２フィルタ回路９とを有する。さらに、これら第１フィルタ回路８または第２フィルタ回路９に信号を切替え入力する第１スイッチ部１０を有する。さらに、第１フィルタ回路８または第２フィルタ回路９から信号を切替えて出力する第２スイッチ部１１を有する。
【０００５】
また、受信装置１は、イメージリジェクションミキサ２と、イメージリジェクションミキサ２で減衰させることが出来ない不要信号を減衰させる中間周波フィルタ１４を有する。さらに、中間周波フィルタ１４の出力側に接続されたＡＤ変換部１５と、ＡＤ変換部１５の出力側に接続された復調部１６とを有する。さらに、ＡＤ変換部１５の他方の入力端子に接続されると共にサンプリング信号を生成するサンプリング信号発振部１７を有する。
【０００６】
さらに、受信装置１は、チャンネル設定部（図示せず）からチャンネル情報およびセグメント情報を取得し、その情報に基づいて第１スイッチ部１０および第２スイッチ部１１を制御するスイッチ制御部１２を有する。さらに、受信装置１は、チャンネル設定部からのチャンネル情報およびセグメント情報を取得し、その情報に基づいて局部信号発振部６の局部信号の周波数を制御する局部信号制御部１３を有する。
【０００７】
このような従来の受信装置では、入力端子３に、第１の無線周波数帯の信号または第２の無線周波数帯の信号が入力された場合、チャンネル情報およびセグメント情報に基づいて、スイッチ制御部１２が第１スイッチ部１０および第２スイッチ部１１を切り替える。そして、第１の無線周波数帯の信号が入力された場合、第１スイッチ部１０および第２スイッチ部１１によって第１フィルタ回路８が選択される。これにより、第１フィルタ回路８は第１中間周波数帯に存在するイメージ妨害信号を第１減衰帯域で減衰する。また、第２の無線周波数帯の信号が入力された場合、第１スイッチ部１０および第２スイッチ部１１によって第２フィルタ回路９が選択される。これにより、第２フィルタ回路９は第２中間周波数帯に存在するイメージ妨害信号を第２減衰帯域で減衰する。
【０００８】
以上のように、上記従来の受信装置１を用いて、例えば地上波デジタル放送の１セグメント放送と３セグメント放送の切替受信など、異なる帯域幅の複数の希望波を受信するためには、それぞれの帯域幅用のポリフェーズフィルタからなる第１フィルタ回路８および第２フィルタ回路９が必要である。さらに、第１フィルタ回路８と第２フィルタ回路９を切替える第１スイッチ部１０および第２スイッチ部１１も必要である。したがって、従来の受信装置は大型になるという問題があった。
【０００９】
本発明は上記問題を解決するもので、小型化を図ることのできる受信装置を提供するものである。
【特許文献１】特開２００３−２９８３５６号公報
【発明の開示】
【００１０】
本発明の受信装置は、第１無線周波数帯の信号または第１無線周波数帯よりも狭帯域の第２周波数帯の信号が入力される入力端子と、入力端子に並列接続された第１混合器および第２混合器と、第１混合器および第２混合器に供給される互いに位相差を持った局部信号を発振する局部信号発振部と、第１混合器からの信号の位相と第２混合器からの信号の位相の少なくとも一方を回転させ、第１混合器からの信号と第２混合器からの信号とを合成するフィルタ回路とを有するイメージリジェクションミキサとを備え、入力端子に第１無線周波数帯の信号が入力された場合、第１混合器および第２混合器が、入力された第１無線周波数帯の信号を局部信号発振部からの第１局部信号を用いて第１中間周波数帯の信号に変換し、フィルタ回路が、第１中間周波数帯に存在するイメージ妨害信号を第１減衰帯域で減衰すると共に、入力端子に第２無線周波数帯の信号が入力された場合、第１混合器および第２混合器が、入力された第２無線周波数帯の信号を局部信号発振部からの第２局部信号を用いて第２中間周波数帯の信号に変換し、フィルタ回路が、第２中間周波数帯に存在するイメージ妨害信号を第１減衰帯域より狭帯域の第２減衰帯域で減衰するものである。
【００１１】
上記構成により、イメージリジェクションミキサは、単一のフィルタ回路によって、帯域幅の異なる第１中間周波数帯のイメージ妨害信号および第２中間周波数帯のイメージ妨害信号を減衰させることができる。その結果、受信装置を小型化を図ることができる。さらに、第２無線周波数帯の信号が入力された場合、フィルタ回路が狭帯域の第２減衰帯域で入力信号を減衰させることにより、第２減衰帯域における減衰量を大きくすることができる。その結果、第２無線周波数帯の信号が入力された場合における受信装置の受信品質を向上させることができる。
【発明を実施するための最良の形態】
【００１２】
以下に本発明の実施の形態における受信装置について、図面を参考にして説明する。
【００１３】
（実施の形態）
図１は、本発明の実施の形態１における受信装置を有する電子機器のブロック図である。図１において、本発明の受信装置１４におけるイメージリジェクションミキサ１５は、第１無線周波数帯の信号または第１無線周波数帯よりも狭帯域の第２無線周波数帯の信号が入力される入力端子１６を有する。さらに、入力端子１６に直接的あるいは間接的に並列接続された第１混合器１７および第２混合器１８を有する。さらに、これら第１混合器１７および第２混合器１８に供給される互いに位相差を持った局部信号を発振する局部信号発振部１９を有する。なお、第１混合器１７および第２混合器１８に入力される局部信号の移相は互いに略直交している。さらに、イメージリジェクションミキサ１５は、第１混合器１７からの信号の位相と第２混合器１８からの信号の位相との少なくとも一方を回転させ、第１混合器１７からの信号と第２混合器１８からの信号とを合成するポリフェーズフィルタからなるフィルタ回路２０を有する。
【００１４】
フィルタ回路２０は、例えば、ＲＣ移相器４組を直列接続したポリフェーズフィルタである。すなわち、フィルタ回路２０は、入力側から順に、第１ＲＣ移相器、第２ＲＣ移相器、第３ＲＣ移相器、および第４ＲＣ移相器が接続された構成である。
【００１５】
第１ＲＣ移相器は、第１混合器１７から移相度０度の信号が入力される抵抗Ｒ１１と、第２混合器１８から移相度９０度の信号が入力される抵抗Ｒ１２とを有する。さらに、第１混合器１７から移相度１８０度の信号が入力される抵抗Ｒ１３と、第２混合器１８から移相度２７０度の信号が入力される抵抗Ｒ１４とを有する。さらに、これら抵抗Ｒ１１〜Ｒ１４の各々と並列接続された抵抗Ｒ１５〜Ｒ１８と、これら抵抗Ｒ１５〜Ｒ１８の接続オンオフを切り替えるスイッチＳＷ１１〜ＳＷ１４とを有する。さらに、抵抗Ｒ１１の入力と抵抗Ｒ１２の出力との間に接続されたコンデンサＣ１１と、抵抗Ｒ１２の入力と抵抗Ｒ１３の出力との間に接続されたコンデンサＣ１２とを有する。さらに、抵抗Ｒ１３の入力と抵抗Ｒ１４の出力との間に接続されたコンデンサＣ１３と、抵抗Ｒ１４の入力と抵抗Ｒ１１の出力との間に接続されたＣ１４とを有する。
【００１６】
また、第２ＲＣ移相器は、抵抗Ｒ２１〜Ｒ２４を有する。さらに、抵抗Ｒ２１の入力と抵抗Ｒ２２の出力との間に接続されたコンデンサＣ２１と、抵抗Ｒ２２の入力と抵抗Ｒ２３の出力との間に接続されたコンデンサＣ２２とを有する。さらに、抵抗Ｒ２３の入力と抵抗Ｒ２４の出力との間に接続されたコンデンサＣ２３と、抵抗Ｒ２４の入力と抵抗Ｒ２１の出力との間に接続されたＣ２４とを有する。また、第３ＲＣ移相器も、第２ＲＣ移相器と同様に、抵抗Ｒ３１〜Ｒ３４およびコンデンサＣ３１〜Ｃ３４から構成される。さらに、第４ＲＣ移相器も第２ＲＣ移相器と同様に、抵抗Ｒ４１〜Ｒ４４およびコンデンサＣ４１〜Ｃ４４から構成される。
【００１７】
さらに、受信装置１４は、上記イメージリジェクションミキサ１５と、このイメージリジェクションミキサ１５で減衰させることが出来ない不要信号を減衰させる中間周波フィルタ２１とを有する。さらに、この中間周波フィルタ２１の出力側に接続されたＡＤ変換部２２と、このＡＤ変換部２２の出力側に接続された復調部２３とを有する。さらに、ＡＤ変換部２２の他方の入力端子に接続されると共にサンプリング信号を生成するサンプリング信号発振部２４を有する。
【００１８】
さらに、受信装置１４は、チャンネル設定部（図示せず）からチャンネル情報およびセグメント情報を取得し、その情報に基づいて局部信号発振部１９の局部信号の周波数を制御する局部信号制御部２５を有する。さらに、チャンネル設定部からのチャンネル情報およびセグメント情報を取得し、その情報に基づいてサンプリング信号発振部２４のサンプリング周波数を制御するサンプリング信号制御部２６を有する。さらに、チャンネル設定部からのチャンネル情報およびセグメント情報を取得し、その情報に基づいてスイッチＳＷ１１〜ＳＷ１４を制御するスイッチ制御部２７を有する。
【００１９】
なお、この受信装置１４を搭載した電子機器３０は、復調部２３の出力側に接続された信号処理部３１と、この信号処理部の出力側に接続された表示部３２とを有する。
【００２０】
次に、イメージリジェクションミキサ１５の動作について説明する。入力端子１６に第１無線周波数帯の信号が入力された場合、第１混合器１７および第２混合器１８が、入力された第１無線周波数帯の信号を局部信号発振部１９からの第１局部信号を用いて第１中間周波数帯の信号に変換する。さらに、フィルタ回路２０が、第１中間周波数帯に存在するイメージ妨害信号を第１減衰帯域で減衰する。
【００２１】
詳述すると、スイッチ制御部２７が、チャンネル設定部（図示せず）からのチャンネル情報およびセグメント情報に基づいて、フィルタ回路２０のスイッチＳＷ１１〜ＳＷ１４をオンする。これにより、抵抗Ｒ１１〜Ｒ１４に抵抗Ｒ１５〜Ｒ１８が並列接続される。
【００２２】
従って、ポリフェーズフィルタを構成する第１ＲＣ移相器〜第４ＲＣ移相器の位相回転９０°となる周波数ｆ１〜ｆ４は、次のようになる。
【００２３】
ｆ１＝１／（２π×（Ｒ１１//Ｒ１５）×Ｃ１１）
ｆ２＝１／（２π×Ｒ２１×Ｃ２１）
ｆ３＝１／（２π×Ｒ３１×Ｃ３１）
ｆ４＝１／｛２π×Ｒ４１×Ｃ４１｝
但し、
Ｒ１１//Ｒ１５＝Ｒ１２//Ｒ１６＝Ｒ１３//Ｒ１７＝Ｒ１４//Ｒ１８
Ｒ１１//Ｒ１５＝Ｒ１１×Ｒ１５／（Ｒ１１＋Ｒ１５）
Ｒ１２//Ｒ１６＝Ｒ１２×Ｒ１６／（Ｒ１２＋Ｒ１６）
Ｒ１３//Ｒ１７＝Ｒ１３×Ｒ１７／（Ｒ１３＋Ｒ１７）
Ｒ１４//Ｒ１８＝Ｒ１４×Ｒ１８／（Ｒ１４＋Ｒ１８）
Ｒ２１＝Ｒ２２＝Ｒ２３＝Ｒ２４
Ｒ３１＝Ｒ３２＝Ｒ３３＝Ｒ３４
Ｒ４１＝Ｒ４２＝Ｒ４３＝Ｒ４４
Ｃ４１＝Ｃ４２＝Ｃ４３＝Ｃ４４
とする。
【００２４】
また、入力端子１６に第２無線周波数帯の信号が入力された場合、第１混合器１７および第２混合器１８が、入力された第２無線周波数帯の信号を局部信号発振部１９からの第２局部信号を用いて第２中間周波数帯の信号に変換する。さらに、フィルタ回路２０が、第２中間周波数帯に存在するイメージ妨害信号を第１減衰帯域より狭帯域の第２減衰帯域で減衰する。
【００２５】
詳述すると、スイッチ制御部２７が、チャンネル設定部（図示せず）からのチャンネル情報およびセグメント情報に基づいて、フィルタ回路２０のスイッチＳＷ１１〜ＳＷ１４をオフする。これにより、抵抗Ｒ１１〜Ｒ１４に抵抗Ｒ１５〜Ｒ１８が並列接続されない。
【００２６】
従って、ポリフェーズフィルタを構成する第１ＲＣ移相器の位相回転９０°となる周波数ｆ１’は、次のようになる。
【００２７】
ｆ１’＝１／｛２π×Ｒ１１×Ｃ１１｝
また、第２ＲＣ移相器〜第４ＲＣ移相器の位相回転９０°となる周波数は、上記したｆ２〜ｆ４となる。
【００２８】
イメージリジェクションミキサ１５の動作時におけるフィルタ回路２０の利得の周波数特性について図２を用いて詳述する。図２は、フィルタ回路２０の利得特性Ｇと第１中間周波数帯のスペクトラムＳ１、第２中間周波数帯のスペクトラムＳ２を比較して示している。
【００２９】
図２の中段に示すフィルタ回路２０の利得特性Ｇにおいて、縦軸は利得、横軸は周波数である。横軸は、中心を０Ｈｚとして右側が正の周波数、左側が負の周波数を表す。利得特性Ｇの破線Ｇ１は、第１減衰帯域（減衰帯域幅Ｗ１［Ｈｚ］）を示し、利得特性の実線Ｇ２は第２減衰帯域（減衰帯域幅Ｗ２［Ｈｚ］）を示している。ポリフェーズフィルタを構成する第１ＲＣ移相器〜第４ＲＣ移相器の位相回転９０°となる周波数ｆ１〜ｆ４およびｆ１’は図３に示す関係となる。図２の上段に示すスペクトラムＳ１は第1中間周波数帯のスペクトラムを表している。希望信号Ｒ１の中心周波数をＸ１［Ｈｚ］、帯域幅をＸ２［Ｈｚ］とすると、その希望信号Ｒ１の上端は（Ｘ１＋Ｘ２／２）［Ｈｚ］、下端は（Ｘ１−Ｘ２／２）［Ｈｚ］となる。従って、イメージ妨害信号Ｉ１の中心周波数は（−Ｘ１）［Ｈｚ］であり、上端は（−Ｘ１＋Ｘ２／２）［Ｈｚ］、下端は（−Ｘ１−Ｘ２／２）［Ｈｚ］となる。
【００３０】
図２の下段は、第1中間周波数帯よりも狭帯域な第２中間周波数帯のスペクトラムＳ２を表している。希望信号Ｒ２は中心周波数をＹ１［Ｈｚ］、帯域幅をＹ２［Ｈｚ］とすると、その希望信号Ｒ２の上端は（Ｙ１＋Ｙ２／２）［Ｈｚ］、下端は（Ｙ１−Ｙ２／２）［Ｈｚ］となる。従って、イメージ妨害信号Ｉ２の中心周波数は（−Ｙ１）［Ｈｚ］であり、上端は（−Ｙ１＋Ｙ２／２）［Ｈｚ］、下端は（−Ｙ１−Ｙ２／２）［Ｈｚ］となる。図２に示すように、第１中間周波数帯と第２中間周波数帯の周波数関係を、（−Ｘ１−Ｘ２／２）≦（−Ｙ１−Ｙ２／２）＜（−Ｙ１＋Ｙ２／２）≦（−Ｘ１＋Ｘ２／２）とした場合において、フィルタ回路２０の利得特性は、第1減衰帯域幅Ｗ１＞第２減衰帯域幅Ｗ２とすることができる。
【００３１】
上記構成により、イメージリジェクションミキサ１５は、単一のフィルタ回路２０によって、帯域幅の異なる第１中間周波数帯のイメージ妨害信号Ｉ１および第２中間周波数帯のイメージ妨害信号Ｉ２を減衰させることができる。その結果、従来のように、２つのスイッチ部や２つのフィルタ回路が不要で、受信装置１４を小型化することができる。
【００３２】
さらに、第２無線周波数帯の信号が入力された場合、フィルタ回路２０が第１減衰帯域よりも狭帯域の第２減衰帯域で入力信号を減衰させる。このことにより、第１ＲＣ移相器〜第４ＲＣ移相器の夫々の減衰極をより狭い周波数帯域に集中させることができるので、第２減衰帯域における減衰量を第１減衰帯域よりも大きくすることができる。その結果、第２無線周波数帯の信号が入力された場合におけるフィルタ回路２０はイメージ妨害信号を大きく抑圧することが可能となり、受信装置１４の受信品質を向上させることができる。
【００３３】
一般に、携帯電話機や車載機といった移動体受信機として地上波デジタル放送を受信する場合、放送基地局から受信する無線信号にはマルチパスが重畳されやすい。したがって、受信する信号帯域幅が狭帯域となればなるほど（受信セグメントが１３セグメント→３セグメント→１セグメントと少なくなるほど）、イメージ抑圧特性の向上は受信品質の向上に影響を及ぼす。すなわち、本実施の形態のような受信装置は、イメージ抑圧特性が従来よりも改善されるので、このような移動体受信機として地上波デジタル放送を受信する装置などに適用して効果が大きい。
【００３４】
なお、図１に示す構成では、フィルタ回路２０は第１ＲＣ移相器のＲＣ積のみを切替える構成であったが、例えば、図４に示すフィルタ回路ような第１ＲＣ移相器と第２ＲＣ移相器の２組のＲＣ積を切替える構成であっても良い。
【００３５】
図４において、第２ＲＣ移相器は、第１ＲＣ移相器と同様に、抵抗Ｒ２１〜Ｒ２４と、これら抵抗Ｒ２１〜Ｒ２４の各々と並列接続された抵抗Ｒ２５〜Ｒ２８とを有する。さらに、これら抵抗Ｒ２１〜Ｒ２８の接続オンオフを切り替えるスイッチＳＷ２１〜ＳＷ２４を有する。さらに、抵抗Ｒ２１の入力と抵抗Ｒ２２の出力との間に接続されたコンデンサＣ２１と、抵抗Ｒ２２の入力と抵抗Ｒ２３の出力との間に接続されたコンデンサＣ２２とを有する。さらに、抵抗Ｒ２３の入力と抵抗Ｒ２４の出力との間に接続されたコンデンサＣ２３と、抵抗Ｒ２４の入力と抵抗Ｒ２１の出力との間に接続されたＣ２４とを有する。そして、ポリフェーズフィルタを構成する第１ＲＣ移相器〜第４ＲＣ移相器の位相回転９０°となる周波数ｆ１〜ｆ４およびｆ１’、ｆ２’は図５に示す関係となる。ここで、第１減衰帯域に関わる周波数はｆ１〜ｆ４であり、各々の周波数の大小関係は（数1）の関係となる。
【００３６】
【数１】
2008126360.tif 000012
【００３７】
また、狭帯域な第２減衰帯域に関わる周波数はｆ１’、ｆ２’、ｆ３〜ｆ４であり、各々の周波数の大小関係は（数２）の関係となる。
【００３８】
【数２】
2008126360.tif 000013
【００３９】
このように、フィルタ回路２０を構成するポリフェーズフィルタにおいて、直列接続するＲＣ移相器の抵抗は入力側から出力側にいくほど大きいことが好ましい。一般に、第１ＲＣ移相器〜第４ＲＣ移相器の夫々の抵抗は抵抗の大きさに比例した熱雑音を発生する。そこで、これらの抵抗を縦続接続したフィルタ回路のＮＦ（Ｎｏｉｓｅ  Ｆｉｇｕｒｅ）を低減するには、入力側の抵抗をより小さくして出力側の抵抗をより大きくした方が好ましい。即ち、ＲＣ積で決定される周波数ｆ１〜ｆ４は（数１）の関係とし、周波数ｆ１’、ｆ２’、ｆ３、ｆ４は（数２）の関係とすることによって、フィルタ回路２０のＮＦを低減することができ、その結果、受信装置１４の受信品質を良好にすることができる。
【００４０】
また、第１減衰帯域の一部または全部と第２減衰帯域の一部または全部とが重複しても良い。この場合においても、受信装置１４は同様の効果を有する。
【００４１】
また、第２減衰帯域の中心周波数が第１減衰帯域の中心周波数より低くなるように、チャンネル設定部からのチャンネル情報およびセグメント情報に基づいて局部信号発振部１９の局部信号の周波数とサンプリング信号発振部２４のサンプリング周波数を制御すると共に、フィルタ回路２０の減衰帯域を制御することが望ましい。これにより、受信装置１４が第２無線周波数帯の信号を受信する場合、ＡＤ変換部２２におけるサンプリング回数を減らすことができるので、ＡＤ変換部２２の消費電流を抑制することができる。
【００４２】
さらにまた、本実施の形態のように、第１減衰帯域の上端と第２減衰帯域の上端とが等しくなるように、チャンネル設定部からのチャンネル情報およびセグメント情報に基づいて局部信号発振部１９の局部信号の周波数とサンプリング信号発振部２４のサンプリング周波数を制御すると共に、フィルタ回路２０の減衰帯域を制御することが望ましい。これにより、受信装置１４が第２無線周波数帯の信号を受信する場合、ＡＤ変換部２２におけるサンプリング回数をさらに減らすことができるので、ＡＤ変換部２２の消費電流をさらに抑制することができる。
【００４３】
なお、第１無線周波数帯の一部または全部は第２無線周波数帯であっても良い。これにより、例えば地上波デジタル放送であるＩＳＤＢ−Ｔ（Ｉｎｔｅｇｒａｔｅｄ Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａl）方式およびＩＳＤＢ−Ｔｓｂ（Ｉｎｔｅｇｒａｔｅｄ  Ｓｅｒｖｉｃｅｓ  Ｄｉｇｉｔａｌ  Ｂｒｏａｄｃａｓｔｉｎｇ  − Ｔｅｒｒｅｓｔｒｉａｌ  ｆｏｒ  Ｓｏｕｎｄ  Ｂｒｏａｄｃａｓｔｉｎｇ）の３セグメント放送の中の少なくとも１つのセグメントを受信する場合においても、受信装置１４は上記と同様の効果を有する。
【００４４】
また、これとは異なる具体的な例を説明する。表１は地上波デジタル放送の各方式の帯域幅と変調方式と、搬送波対雑音比（復調部２０で復調する際に必要な信号品質を示す搬送波対雑音比ＣＮＲ（Ｃａｒｒｅｒ  Ｎｏｉｓｅ  Ｒａｔｉｏ）であって、以下、所要Ｃ／Ｎと言う）とを示している。
【００４５】
【表１】
2008126360.tif 000014
【００４６】
（表１）に示すように、ＩＳＤＢ−Ｔフルセグメント方式の場合は、変調方式に６４ＱＡＭ（Ｑｕａｄｒａｔｕｒｅ  Ａｍｐｌｉｔｕｄｅ  Ｍｏｄｕｌａｔｉｏｎ）の符号化率（以下、ＣＲ（Ｃｏｄｅ Ｒａｔｅ）と言う）７／８が用いられ、所要Ｃ／Ｎは２１〜２２ｄＢである。
【００４７】
ＤＶＢ−Ｔ（Ｄｉｇｉｔａｌ Ｖｉｄｅｏ Ｂｒｏａｄｃａｓｔｉｎｇ - Ｔｅｒｒｅｓｔｒｉａｌ）方式の場合は、変調方式に６４ＱＡＭのＣＲ３／４が用いられ、所要Ｃ／Ｎは１９〜２０ｄＢである。
【００４８】
また、ＤＶＢ−Ｔ方式と同じ８ＭＨｚのチャンネル帯域幅であるＧＢ２０６００−２００６（通称名はＤＴＴＢ、framing structure, channel coding and modulation for Digital Television Terrestrial Broadcasting system）方式の場合は、変調方式に６４ＱＡＭのＣＲ４／５が用いられ、所要Ｃ／Ｎは概２０ｄＢである。
【００４９】
そこで、本実施の形態において、第１減衰帯域幅Ｗ１を８ＭＨｚとし、第２減衰帯域幅Ｗ２を第１減衰帯域幅より狭帯域な６ＭＨｚとして、第２無線周波数帯の信号が入力された場合において、第２減衰帯域における入力信号の減衰量を第１減衰帯域の減衰量より大きくするようにする。
【００５０】
表１より、第１減衰帯域幅Ｗ１（＝８ＭＨｚ）は、欧州などで実用化されるＤＶＢ−Ｔ方式のチャンネル帯域幅に該当する。一方、第２減衰帯域幅Ｗ２（＝６ＭＨｚ）は、日本などで実用化されるＩＳＤＢ−Ｔフルセグメント方式のチャンネル帯域幅に該当する。
【００５１】
すなわち、（表１）のとおり、ＩＳＤＢ−Ｔフルセグメント方式の方がＤＶＢ−Ｔ方式より大きな減衰量を必要とするため、上記のように第１減衰帯域幅Ｗ１および第２減衰帯域幅Ｗ２を設定することにより、異なった複数の方式に対応可能な小型の受信装置を実現することができる。
【００５２】
また、第１減衰帯域幅Ｗ１（＝８ＭＨｚ）は、中国で実用化されるＧＢ２０６００−２００６方式のチャンネル帯域幅に該当する。したがって、このような場合にも上記のＤＶＢ−Ｔ方式と同様の効果が得られる。
【００５３】
以上のように、各々の方式は変調方式の違い等によって所要Ｃ／Ｎが異なり、ＣＲが大きく、且つ、周波数帯域幅が狭帯域なＩＳＤＢ−Ｔフルセグメント方式は所要Ｃ／Ｎが大きくなっている。これは、デジタル化された信号の情報伝送量が変調度と周波数帯域幅の両方に比例するためである。したがって、一般的な受信環境で、各々の方式が同程度の情報量（映像画質、音質、データ量）を放送するには帯域幅が狭いほど大きな変調度（＝大きなＣ／Ｎ）が必要となる。
【００５４】
すなわち、ＩＳＤＢ−Ｔフルセグメント方式を受信する場合、受信装置１４はより良好な受信特性が必要とされ、復調器２０に入力するノイズレベルを様々な受信環境において抑圧しなければならない。したがって、本実施の形態によれば、例えば、第２無線周波数帯にある希望信号とそれに隣接するイメージ妨害信号が存在した受信環境では、第２減衰帯域の減衰量を大きくするほどイメージ妨害を抑圧することが可能となる。その結果、耐妨害耐性が良好な（大きな妨害信号を入力しても受信品質が劣化しにくい）受信装置を実現することができる。
【産業上の利用可能性】
【００５５】
本発明の受信装置は、小型化が可能であるので、例えば、携帯端末等の電子機器に利用することができる。
【図面の簡単な説明】
【００５６】
【図１】本発明の一実施の形態における受信装置を有する電子機器のブロック図
【図２】本実施の形態におけるフィルタ回路の利得特性と第１、第２中間周波数帯のスペクトラムの関係を示す図
【図３】本実施の形態におけるフィルタ回路の利得特性図
【図４】本実施の形態における他のフィルタ回路の構成図
【図５】図４のフィルタ回路の利得特性図
【図６】従来の受信装置のブロック図
【符号の説明】
【００５７】
１４    受信装置
１５    イメージリジェクションミキサ
１６    入力端子
１７    第１混合器
１８    第２混合器
１９    局部信号発振部
２０    フィルタ回路
２１    中間周波フィルタ
２２    ＡＤ変換部
２３    復調部
２４    サンプリング信号発振部
２５    局部信号制御部
２６    サンプリング信号制御部
２７    スイッチ制御部
【手続補正３】
【補正対象書類名】図面
【補正対象項目名】全図
【補正方法】変更
【補正の内容】
【図１】
2008126360.tif 000015
【図２】
2008126360.tif 000016
【図３】
2008126360.tif 000017
【図４】
2008126360.tif 000018
【図５】
2008126360.tif 000019
【図６】
2008126360.tif 000020
【国際調査報告】
2008126360.tif 000021
2008126360.tif 000022
2008126360.tif 000023